(57)【特許請求の範囲】
【請求項１】
互いに向かい合う一対のテープであって、前記テープのそれぞれが、開閉動作のための取付けられる複数のティースを有する、一対のテープ、
前記テープから離れる方に面する上部、一対の側部、及び前記上部の反対側を向く開放下部を持つ概してＣ形状断面を有するスライダ、
前記テープの一方の端部に取り付けられるロッキングユニットであって、前記スライダの内部空間に受け入れられる一対のストッパを含む、ロッキングユニット、及び
前記テープの前記一方の前記端部に対応する前記テープの他方の端部に取り付けられる平坦面を有するボトムストップであって、前記平坦面から垂直な方向に突出するロードを含み、前記ロードは、前記テープの前記開閉動作のための前記スライダのスライド運動を選択的に許可する及び許可しないように、前記ボトムストップの前記平坦面と垂直な方向の上下動作に応じて、前記ロッキングユニットの前記ストッパの間に進退可能に位置するように構成される、ボトムストップ、を有し、
前記ロッキングユニットは、前記一対のストッパが、前記ロッキングユニットを前記スライダに対してロックするための第１の位置にあり、且つ前記ボトムストップの前記ロードが、前記一対のストッパの間に係合しない、ロック位置、前記一対のストッパが、前記ティースを閉めるための前記スライダの閉め動作を可能にする第２の位置にあり、且つ前記ボトムストップの前記ロードが、前記一対のストッパの間に係合する閉め位置、及び前記一対のストッパが、前記ティースを外すための前記スライダの外し動作を可能にする第３の位置にある一方、前記ボトムストップの前記ロードの前記一対のストッパからの解放を可能にする、外し位置、を持つように構成される、
ジッパー。
【請求項２】
前記一対のストッパは、互いに対称の形状を有する、
請求項１に記載のジッパー。
【請求項３】
前記スライダは、前記スライダの前記側部から前記Ｃ形状断面の内側に突出する少なくとも１つのかかり片を有する、
請求項１に記載のジッパー。
【請求項４】
前記ロッキングユニットは、前記ストッパを前記ロッキングユニットの本体から外側方向に付勢するために前記一対のストッパの間に設置される少なくとも１つのばねを有し、
前記ロッキングユニットの前記第１の位置において、前記一対のストッパは、前記スライダの前記少なくとも１つのかかり片によって前記ストッパを前記スライダの中にロックするように、前記ストッパを前記外側方向に付勢する前記ばねにより、最も外側の位置にある、
請求項３に記載のジッパー。
【請求項５】
前記スライダは、前記スライダの前記側部から前記Ｃ形状断面の前記内側に突出する少なくとも２つのかかり片を有し、前記ロッキングユニットが前記第１の位置にあるとき、前記ストッパは前記かかり片の間にロックされる、
請求項４に記載のジッパー。
【請求項６】
前記スライダは、大きいサイズの第１のかかり片及び小さいサイズの第２のかかり片を有する、
請求項５に記載のジッパー。
【請求項７】
前記スライダの前記第１のかかり片は、前記スライダが前記ティースを外すための外し方向に操作されるとき前記一対のストッパに当接し且つ前記一対のストッパを押すように構成される加圧面を有する、
請求項６に記載のジッパー。
【請求項８】
前記ボトムストップの前記ロードは、前記平坦面から垂直に延びる柱状のサポート及び前記サポートの前記平坦面から離れた側の端部で前記サポートから拡がるヘッド部分を含み、
前記ロッキングユニットの前記第２の位置において、前記一対のストッパは、前記ロードの前記サポートが前記一対のストッパの間に係合される中間位置にある、
請求項４に記載のジッパー。
【請求項９】
前記ロッキングユニットの前記第３の位置において、前記一対のストッパは、前記ロードが前記一対のストッパから解放される最も内側の位置にある、
請求項８に記載のジッパー。
【請求項１０】
前記一対のストッパのそれぞれは、前記スライダと接触するように構成される外側ボディ部分、前記ロードと選択的に係合するように構成される内側コンタクト部分、及び前記外側ボディ部分と前記内側コンタクト部分との間を接続するブリッジ部分を含み、
前記一対のストッパの一方の前記内側コンタクト部分は、前記一対のストッパの他方の前記外側ボディ部分と前記内側コンタクト部分との間に配置され、
前記ロッキングユニットの前記第２の位置において、前記ロードは、前記ストッパの２つの隣接する前記内側コンタクト部分の間に配置され且つ係合するように構成される、
請求項８に記載のジッパー。
【請求項１１】
前記ロードの前記ヘッド部分は、半球状上面及び前記サポートに接続する平らな下面を有し、
前記ロッキングユニットの前記第２の位置において、前記ロードの前記ヘッド部分が前記ストッパの前記隣接する内側コンタクト部分の間を通過した後、前記ストッパの前記外側ボディ部分は前記ばねの動作によって互いに向かって後退され、前記ロードの前記サポートが前記内側コンタクト部分の間に捕えられることをもたらし、前記ヘッド部分の前記平らな下面のために前記ロードの分離が妨げられる、
請求項１０に記載のジッパー。
【請求項１２】
前記スライダは、前記下部においてそれぞれの前記側部から内側に向かって前記上部と平行に延びる一対のフランジを含む、
請求項１に記載のジッパー。
【請求項１３】
前記ロッキングユニットはさらに、
フランジ部分を持つメインボディであって、前記スライダの前記フランジが前記メインボディの前記フランジ部分の下に位置するように前記フランジ部分が外側に突出する、メインボディ、及び
前記スライダの前記ティースを外すための外し方向への前記ロッキングユニットに対する後方運動を制限するように前記テープの前記一方の端部側にある前記メインボディの後端から外側に突出する止め突起、を有する、
請求項１２に記載のジッパー。
【請求項１４】
前記ティースは、一体に形成される噛み合い部分及び付着部を有し、前記噛み合い部分は、噛み合いのために一側面に形成される溝及び反対側の側面に形成される突起を有し、
前記付着部は、前記ティースの開閉動作を容易にするために、前記スライダの前記フランジを受けるための凹状空間を持つ概してＣ形状構成を有し、前記付着部は前記対応するテープに固定されるように構成される、
請求項１２に記載のジッパー。
【発明の詳細な説明】
【技術分野】
【０００１】
本発明は、ジッパーに適用されるスライダアセンブリに関するものである。
【背景技術】
【０００２】
一般に、ジッパーはかばんや衣類などに設置されて入口を開閉する役割をし、開閉方法が非常に簡単で使用範囲が広範囲である。
【０００３】
従来のジッパーの構造を簡単に説明すると、織物で形成される一対のテープそれぞれに向かい合う位置にティース（ｔｅｅｔｈ）が配置され、前面と後面が貫通する構造を有するスライダ（ｓｌｉｄｅｒ）が一方のテープに結合される。
【０００４】
よって、スライダが前進する際、スライダの前面を介して両側のティースが入るとスライダ内で互いに噛み合って後面に排出され、逆にスライダが後進すると互いに噛み合ったティースが分離されて前面に排出される。
【０００５】
しかし、このような従来のジッパーには様々な問題点がある。
【０００６】
詳しくは、ジッパーを閉めるためにはスライダが結合されていないテープの端部のボトムストップ（ｂｏｔｔｏｍ  ｓｔｏｐ）をスライダの前面に差し込むべきであるが、ユーザが例えば手袋などを着用している場合には繊細な動作を行うことが難しいため差し込みにくい問題点がある。
【０００７】
また、テープの裏面の縫い目の一部がスライダに引き込まれる場合にはスライダの進行が中止され、スライダを強制に進行させると縫い目が更に引き込まれて動作しなくなる問題点がある。
【０００８】
また、スライダが常に一定の位置におらずに上下移動するため、場合によっては迅速にスライダを把持することができない問題点がある。
しかし、このような問題点は従来のスライダの構造を根本的に変えない限り解決が難しいという制限がある。
【０００９】
一方、特許文献１では、ロッキングエレメントが形成された第１ターミナル、第１ターミナルが差し込まれて回転する第２ターミナルが開示されている。しかし、この構造によると第２ターミナルが容器形状に形成されて第１ターミナルが収納された状態で回転することで結合する構造であるため、結合のために２つの動作が連続して行われるべきであって、容器形状の第２ターミナルに異物が流入されると結合することができないという致命的な欠陥がある。
【先行技術文献】
【特許文献】
【００１０】
【特許文献１】米国特許４３２６３１９号
【発明の概要】
【発明が解決しようとする課題】
【００１１】
よって、本発明の目的は全く新しい概念と構造を有するスライダアセンブリを提供することである。
【００１２】
本発明の他の目的は、ティースの結合と分離の信頼性を確保するスライダアセンブリを提供することである。
【００１３】
本発明の他の目的は、簡単な動作でティースの結合と分離を行うスライダアセンブリを提供することである。
【００１４】
本発明の他の目的は、ティースが分離された状態でスライダが常に一定な位置を維持するスライダアセンブリを提供することである。
【課題を解決するための手段】
【００１５】
前記目的は、下部が開放された筒状でティースと結合するエッジが内側に曲げられたスライダと、一方のテープの端部に固定されるボトムストップと、他方のテープの端部に固定され、前記スライダの移動を制限するロッキングユニットと、を含み、前記ロッキングユニットは前記ボトムストップとの結合によって前記スライダの移動を許容し、前記ティースは前記スライダのエッジを収容する空間を具備するスライダアセンブリによって達成される。
【００１６】
好ましくは、前記スライダの内側壁にはかかり片が突出され、前記ロッキングユニットはばねを介在して互いに対向して結合して前記ばねの復元力を受ける一対のストッパーを具備し、前記ボトムストップは垂直突出形成されたロードを具備し、前記ロードが前記ストッパーと結合することで前記一対のストッパーが互いに押されるか近接することで前記かかり片が前記ストッパーにかかるかかからない。
【００１７】
好ましくは、前記内側壁から前記かかり片と離隔された前方に前記かかり片より更に突出される加圧かかり片が形成され、前記加圧かかり片が前記一対のストッパーを加圧することで前記ロードは前記ストッパーから分離される。
【００１８】
好ましくは、前記ロッキングユニットは中央に挿入孔が形成された本体と、前記本体の表面に収納され、ばねを介在して互いに対向に結合し、互いに交差する位置にコンタクト（ｃｏｎｔａｃｔ）が形成された一対のストッパーと、前記本体の表面を覆うように分離可能に結合されたカバーと、を含む。
【００１９】
好ましくは、前記本体の両側に長さ方向にフランジが突出されて前記スライダのエッジが前記フランジの下部に位置し、前記本体の後端両側には止め突起が水平に突出されて前記スライダの後進を制限する。
【００２０】
好ましくは、前記ボトムストップは垂直突出された半球状のロードを具備し、前記ロードは前記ロードの直径より小さい幅を有するサポートによって支持され、前記ロードが前記コンタクトの間を通過して前記ロードとサポートの境界に形成されたかかり突起に前記コンタクトがかかることで前記ロードの分離が防止される。
【００２１】
好ましくは、前記ティースは噛み合い部と付着部が単一体で形成され、前記噛み合い部には噛み合いのために一側面には溝が形成されて他側面には突起が形成され、前記付着部は”字形状に形成されてその間に前記スライダのエッジが収容される空間が形成され、下部に前記テープが固定される。
【発明の効果】
【００２２】
前記構造によると、ユーザが手で繊細な動作を行うことができない場合でも信頼性のあるティースの結合と分離を常に行うことができる。
【００２３】
また、簡単な一つの動作、即ち、垂直方向への圧着でスライダがティースと迅速に結合させることができる。また、ティースが分離された状態でスライダが常に一定な位置を維持することができる。
【００２４】
また、縫い目の一部がスライダに引き込まれる可能性を最小化することができる。
【図面の簡単な説明】
【００２５】
【図１】本発明によるスライダアセンブリがテープに結合した状態を示す図である。
【図２】本発明によるスライダアセンブリの分解斜視図である。
【図３ａ】本発明に適用されるスライダ１００を示す図である。
【図３ｂ】本発明に適用されるスライダ１００を示す図である。
【図４ａ】本発明によるロッキングユニット２００を示す図である。
【図４ｂ】本発明によるロッキングユニット２００を示す図である。
【図４ｃ】本発明によるロッキングユニット２００を示す図である。
【図４ｄ】本発明によるロッキングユニット２００を示す図である。
【図５ａ】本発明に適用されるボトムストップ３００を示す図である。
【図５ｂ】本発明に適用されるボトムストップ３００を示す図である。
【図６】本発明に適用されるティース２０を示す図である。
【図７ａ】ボトムストップの昇降によるストッパーの移動とスライダのかかり片のかかり動作を示す図であるが、左側の図面は右側のＡ−Ａ’に沿って切断した断面図である。
【図７ｂ】ボトムストップの昇降によるストッパーの移動とスライダのかかり片のかかり動作を示す図であるが、左側の図面は右側のＡ−Ａ’に沿って切断した断面図である。
【図７ｃ】ボトムストップの昇降によるストッパーの移動とスライダのかかり片のかかり動作を示す図であるが、左側の図面は右側のＡ−Ａ’に沿って切断した断面図である。
【発明を実施するための形態】
【００２６】
以下、添付した図面を参照して本発明の実施例を詳細に説明する。
【００２７】
図１は本発明によるスライダアセンブリがテープに結合した状態を示す図であり、図２は分解斜視図である。
【００２８】
図示したように、スライダアセンブリは下部が開放された筒状であって、両側エッジによってティース２０が進行するチャンネル１０１が形成されるスライダ１００と、テープ１０の端部に固定されてスライダ１００の移動を制限するロッキングユニット２００と、テープ１２の端部に固定されてロッキングユニット２００と結合されるか分離されてロッキングユニット２００がスライダ１００の移動を制限するように制御するボトムストップ３００を含み、ティース２０，３０はスライダ１００の両側エッジを収容する空間を具備する。
【００２９】
以下、スライダアセンブリの各構成部分について詳細に説明する。説明の便宜上、ティース２０，３０が互いに結合するようにスライダ１００が移動することを「前進する」と表現し、結合したティース２０，３０が互いに分離されるようにスライダ１００が逆に移動することを「後進する」と表現する。
【００３０】
（スライダ１００）
図３ａと図３ｂは、それぞれ本発明に適用されるスライダ１００を示す図である。
スライダ１００は単一の本体１０２で形成され、下部が開放された四角の筒状であって前面の入口と後面の出口が貫通する。
【００３１】
両側内側壁１０３に端部は内側に曲げられて互いに対向するエッジ１０４，１０５を成し、結果的に長さ方向に沿ってエッジ１０４，１０５の内側壁１０３で形成されるチャンネル１０１を形成する。
【００３２】
好ましくは、本体１０２の入口部分のエッジ１０４，１０５は緩慢な曲線部を形成してエッジ１０４，１０５がティース２０，３０と円滑に結合するようにし、入口の中間位置で本体１０２の裏面には位置決定用突起１０７が突出する。
【００３３】
図３ｂを参照すると、両側内側壁１０３には一定間隔に離隔されてかかり片１０６，１０８が突出形成され、後述するようにロッキングユニット２００のストッパーと相互動作する。前面側に位置するかかり片１０６が後面側に位置するかかり片１０８より更に突出され、各かかり片１０６，１０８の後方にはテーパーが形成される。
【００３４】
後述するように、かかり片１０６はロッキングユニット２００のストッパーを加圧するための目的で設置され、かかり片１０８はロッキングユニット２００のストッパーにかかるようにする目的で設置される。
【００３５】
本体１０２の表面にはタブホルダー１１０が例えばねじによって固定され、タブホルダー１１０には図１のようにプルタブ１２０が差し込まれて固定される。
【００３６】
（ロッキングユニット２００）
図４ａ，４ｂ，４ｃ及び４ｄはそれぞれ本発明によるロッキングユニット２００を示す図である。
【００３７】
ロッキングユニット２００は、中央に挿入孔２１７が形成された本体２１０と、本体２１０の表面に収納され、ばね２３４を介在して互いに対向して結合する一対のストッパー２３０，２４０及び本体２１０の表面を覆うように分離可能に結合されたカバー２２０を含む。
【００３８】
好ましくは、本体２１０の前面には水平に支持突起２１５が突出形成されて後述するボトムストップ３００の突起と共に第１ティース２０，３０と接触して支持する。支持突起２１５の上面には溝２１６が形成される。
【００３９】
本体１２０にはストッパー２３０，２４０を収容するための収納空間２１２が形成され、カバー２２０との結合のためにねじ溝が内部に形成されたインサート２３３が差し込まれるボス２１４が本体２１０に一体に突出形成され、対向するストッパー２３０，２４０の間に位置するように挿入孔２１７が形成される。また、本体２１０の両側には長さ方向にフランジ２１３が突出され、後述するようにスライダ１００のエッジ１０４，１０５がフランジ２１３の下部に位置して上方への離脱を防止する。
【００４０】
本体２１０の後面両側には外側に突出する止め突起２１８が形成され、スライダ１００がそれ以上後進しないようにする。
【００４１】
ストッパー２３０，２４０は挿入孔２１７の縁に位置して互いに対向するコンタクト２３２，２４２を具備するが、コンタクト２３２，２４２は互いに反対側のストッパー２３０，２４０の下部に位置する。即ち、図４ｄはストッパー２３０，２４０が離れている状態を示すが、ばね２３４を介在して結合した状態ではコンタクト２３２，２４２が反対側のストッパー２３０，２４０の下部に位置するようになる。
【００４２】
よって、コンタクト２３２，２４２を互いに反対側に押すとストッパー２３０，２４０は逆に互いに近くなり、コンタクト２３２，２４２を互いに引っ張るとストッパー２３０，２４０は逆に互いに遠くなる。
【００４３】
好ましくは、コンタクト２３２，２４２の接触面はコンタクト２３２，２４２と接触するロードの形状とマッチングするように傾斜面を成している。
【００４４】
（ボトムストップ３００）
図５ａと図５は、それぞれ本発明に適用されるボトムストップ３００を示す図である。
【００４５】
ボトムストップ３００は一側のテープ１２の端部に固定され、ロッキングユニット２００と結合されるか分離されることでロッキングユニット２００のストッパー２３０，２４０の動作を制御する。
【００４６】
ボトムストップ３００の表面にはロード３１０が突出形成され、ロッキングユニット２００の本体２１０に形成された挿入孔２１７に差し込まれる。また、ボトムストップ３００の前面には垂直に支持突起３２０が突出され、上面には溝３２２が形成される。
【００４７】
図５ｂを参照すると、半球状のロード３１０は柱状のサポート３１２によって支持され、サポート３１２の幅がロード３１０の直径より小さく形成されてそれらの間の境界にかかり突起３１４が形成される。
【００４８】
（ティース２０，３０）
図６は、本発明に適用されるティース２０を示す図である。
【００４９】
ティース２０は単一体で形成され、噛み合い部２６と付着部２１，２２で形成される。噛み合い部２６には噛み合いのために一側面に溝２５が形成され、他側面には突起が形成される。よって、隣接したティース２０の突起が他のティース２０の溝２５に収納される方式で結合が行われる。
【００５０】
付着部２１，２２は例えば”字形状に形成されてその中にスライダ１００のエッジ１０４，１０５が収容される空間２４が形成される。下部に形成された付着部２２は多少長く形成され、その上に結合突起２３が形成されて、テープ１０に差し込まれてティースがテープ１０に固定される。
【００５１】
以下、前記構造のスライダアセンブリの結合と動作について説明する。
【００５２】
図７はボトムストップ３００の昇降によるストッパー２３０，２４０の移動とスライダ１００のかかり片１０６，１０８のかかり動作を示す図であるが、左側の図面は右側のＡ−Ａ’に沿って切断した断面図である。
【００５３】
ティース２０が配置されたテープ１０の端部にはロッキングユニット２００が固定され、ティース３０が配置されたテープ１２の端部にはボトムストップ３００が固定される。
【００５４】
スライダ１００を後面からロッキングユニット２００に対して水平に押すと、前記のようにスライダ１００のエッジ１０４，１０５はそれぞれロッキングユニット２００の本体２１０の両側に形成されたフランジ２１３の下部分に沿って移動する。
【００５５】
この際、図７ａのようにロッキングユニット２００のストッパー２３０，２４０が最も外部に突出された状態であるため、スライダ１００が移動しながらかかり片１０８がストッパー２３０，２４０にかかるようになる。
【００５６】
スライダ１００を後方に強制に押すと、ばね２３４の復元力で開かれているストッパー２３０，２４０が強制に閉ざされ、スライダ１００のかかり片１０８がまずストッパー２３０，２４０を経て後方に移動すると同時にかかり片１０６，１０８の間にストッパー２４０がばね２３４の復元力によって更に突出される。
【００５７】
この様態で、スライダ１００に加えていた力を除去すると、スライダ１００は図７ａのような状態に閉ざされるようになってスライダ１００とロッキングユニット２００の結合が完了される。
【００５８】
図７ａはボトムストップ３００がロッキングユニット２００に結合する前のストッパー２３０，２４０の状態を示す図である。最初に結合された状態で、ストッパー２３０，２４０がばね２３４の復元力によって互いに遠くなる方向に押されるとそれとは逆にコンタクト２３２，２４２は互いに接近する。ばね２３４の復元力が全てストッパー２３０，２４０に作用することで、ストッパー２３０，２４０が互いに最も遠くなった状態になる。
【００５９】
この様態でかかり片１０８はストッパー２３０，２４０にかかって前進せず、ロッキングユニット２００本体２１０のかかり突起２１８によって後進することができなくなる。その結果、ボトムストップ３００が結合する前にはスライダ１００が常に一定な位置に固定されていて、ジッパーを閉じる際にユーザが便利で迅速にスライダ１００を探すことができる。
【００６０】
図７ｂは、ボトムストップ３００がロッキングユニット２００と結合した状態を示す。
【００６１】
結合の際にボトムストップ３００の半球状のロード３１０が上昇してストッパー２３０，２４０のコンタクト２３２，２４２を加圧すると、コンタクト２３２，２４２のロード３１０の外面に沿って滑りながらコンタクト２３２，２４２の間の距離が遠くなっていき、サポート３１２との境界に形成されたかかり突起３１４を通りながら急激に更に狭くなってストッパー２３０，２４０の両側エッジはかかり片１０８の先端部分より内側に押される。これは、前記ようにサポート３１２の幅がロード３１０の直径より小さいためである。
【００６２】
また、ロッキングユニット２００の本体２１０の支持突起２１５とボトムストップ３００の支持突起３２０が互いに隣接して合わせられて第１ティース２０，３０を支持し、支持突起２１５の溝２１６と支持突起３２０の溝３２２が合わせられて形成された溝がスライダ１００の位置決定用突起１０７を収容するようになる。
【００６３】
この状態で、図７ｂのようにストッパー２３０，２４０の両側エッジはかかり片１０８の先端部分より内側に押されながらかかり片１０８が自由に移動するようになる。
【００６４】
よって、ユーザはプルタブ１２０を上に引っ張って前進させるとスライド１０のエッジ１０４，１０５がティース２０，３０の収容空間２４に収容された状態でスライダ１００が移動し、この様態で隣接するティース２０，３０の突起が溝２５に差し込まれることで結合が行われてジッパーが閉ざされるようになる。
【００６５】
図７ｃはボトムストップ３００がロッキングユニット２００から分離された状態を示す図である。
【００６６】
ユーザがティース２０，３０を分離してジッパーを開こうとする場合にはスライダ１００を下に引っ張って後進させるが、前面側に位置するかかり片１０６がストッパー２３０，２４０と接触するようになる。
【００６７】
この際、強くスライダ１００を引っ張るとかかり片１０６がストッパー２３０，２４０を押すようになり、それによってストッパー２３０，２４０が最も近く近接することでコンタクト２３２，２４２は逆に最も遠く開かれ、開かれた間隔はボトムストップ３００のロード３１０の直径より広いためボトムストップ３００を円滑に分離することができる。
【００６８】
これまで本発明の実施例を中心に説明したが、当業者の水準で多様な変更を加えることができるということはもちろんである。よって、本発明の権利範囲は上述した実施例に限って解析されてはならず、以下に記載される特許請求の範囲によって解析されるべきである。
【符号の説明】
【００６９】
１０，１２  テープ
２０，３０  ティース
１００  スライダ
１０１  チャンネル
１２０  プルタブ（ｐｕｌｌ  ｔａｂ）
２００  ロッキングユニット（ｌｏｃｋｉｎｇ  ｕｎｉｔ）
２１０  本体
３００  ボトムストップ
【図１】
0005886959.tif 000002
【図２】
0005886959.tif 000003
【図３ａ】
0005886959.tif 000004
【図３ｂ】
0005886959.tif 000005
【図４ａ】
0005886959.tif 000006
【図４ｂ】
0005886959.tif 000007
【図４ｃ】
0005886959.tif 000008
【図４ｄ】
0005886959.tif 000009
【図５ａ】
0005886959.tif 000010
【図５ｂ】
0005886959.tif 000011
【図６】
0005886959.tif 000012
【図７ａ】
0005886959.tif 000013
【図７ｂ】
0005886959.tif 000014
【図７ｃ】
0005886959.tif 000015